(57)【要約】【課題】テレビ放送受信に使用されるアンテナ装置において、設置作業の危険性と設置空間の必要な大きさを解決し、設置が簡易な小型の全テレビ放送用ＵＨＦ帯アンテナ装置として優れた特性を持つ双ループアンテナ装置の提供を目的とする。【解決手段】金属製ループアンテナ１０１ａとループアンテナ１０１ｂを上下対称に配置し、ループアンテナ平行部１２７を接続端子１０４にて接続して双ループアンテナ部を形成し、接続端子１０４にそれぞれ信号線接続端子１０８とアース接続端子１０９とが接続されている同軸ケーブル１１０と防滴カバー底を固定し、防滴カバー底１０３とアンテナ支持部１１２を固定し、反射器１１３と取付部１１４を固定し、アンテナ支持部１１２を取付部１１４と固定し、防滴カバー底１０３に防滴カバー蓋１０２を嵌合させることにより全テレビ放送用ＵＨＦ帯において良好な受信感度の双ループアンテナ装置が得られる。【選択図】図１
2005086326.tif 000002
【特許請求の範囲】
【請求項１】
対称に配置した環状部を平行線で接続した形状の金属からなる双ループアンテナ部と、前記平行線の中央にて信号線とアース線を電気的に接続させた給電部と、前記信号線とアース線を具えた同軸ケーブルと、前記給電部を防滴するためのカバーと、電波の到来を反射する反射器と、前記双ループアンテナ部を前記反射器との間に空間を設け支持するためのアンテナ支持部と、強固に固定されたマストポールを含む相手構造物に取付けるための取付部と、前記取付部と対をなし前記相手構造物を挟持しボルトにて締め付ける取付押え部を有し、前記アンテナ支持部と前記反射器とが互いに干渉しないように各々取付部と固定し、前記アンテナ支持部と前記取付部の固定を緩和させた時には前記アンテナ支持部が前記取付部の内部に収納可能とすることを特徴とする双ループアンテナ装置。
【請求項２】
反射器は、１枚または複数の金属板、または複数の金属棒、または１枚の金属製格子網で形成した請求項１記載の双ループアンテナ装置。
【発明の詳細な説明】
【技術分野】
【０００１】
本発明は、ＵＨＦ帯電波を用いたテレビ放送受信を目的としたアンテナ装置に関する。
【背景技術】
【０００２】
現在、ＶＨＦ帯およびＵＨＦ帯の地上波テレビ放送受信においては、導波器、受信器、反射器で構成された八木アンテナ装置が主流であり、各地方毎に使用されている放送用電波の周波数帯にあわせたＶＨＦ帯並びにＵＨＦ帯の八木式アンテナ装置が用いられている。しかし今後開始を予定されている地上デジタル放送受信においては全テレビ放送用ＵＨＦ帯アンテナが必要となってくる。
【０００３】
また、地上デジタル放送開始にあたっては、当面のデジタル波の送信出力が小さい、更には地域によっては送信基地局がアナログ波とは異なる場所に存在するなど、既設のテレビ放送受信システムでは全テレビ放送用ＵＨＦ帯アンテナに交換もしくは追加しただけでは、アナログ放送波とデジタル放送波の混合受信は現段階ではブースターの調整が必要、もしくはアナログ放送波送出基地とデジタル放送波送出基地の方向の違い等、地域によって様々な課題が生じ、アナログ放送波停波までに数度にわたる受信システムのメンテナンスが必要になってくることが予想される。
【０００４】
したがって当面地上波デジタル放送を受信するための手段として、別途全テレビ放送用ＵＨＦ帯アンテナ装置を地上波デジタル放送受信機に直接接続する方法が有力になると予測される。
【０００５】
以下に従来の全テレビ放送用ＵＨＦ帯アンテナ装置について説明する。
【０００６】
従来の全テレビ放送用ＵＨＦ帯アンテナ装置としては、たとえば八木アンテナ装置における導波器の多素子化や、更に広帯域化において中心周波数から離れた周波数帯の定在波比増大に対する改善として、周波数帯を複数に分けそれぞれに対応した放射器を複数具えた八木アンテナがある（例えば特許文献１参照。）。
【０００７】
また、広帯域型のアンテナ装置としては、たとえば双ループアンテナ装置があるが、アンテナ構造の特徴である双ループ部分の脆弱性ゆえに、輸送性や保管性、意匠性に考慮する必要のない送信用アンテナ装置として、アンテナ自体を覆い隠した構造の装置は実用化されている。
【０００８】
この双ループ部分における支持構造の脆弱性に対する改善として、双ループアンテナ部分への平衡給電を支持棒として用いたアンテナ装置がある（例えば特許文献２参照。）。
【特許文献１】実開平５−７６１１２号公報（第２頁、図１）
【特許文献２】特開昭６３−１３８８０３号公報（図１（ａ）（ｂ））
【発明の開示】
【発明が解決しようとする課題】
【０００９】
しかしながら、上記の多素子化八木アンテナ装置は大型であることから、主として屋根上に設置するため工事には危険が伴うという問題を有していた。
【００１０】
また、上記平衡給電部による双ループアンテナ部の支持方法では、マイクロ波における周波数の高い場合には強度の確保は可能であるが、テレビ放送用ＵＨＦ帯で用いる電波の周波数帯においては、長さＬ＝０．１５λ、つまり約１１０ｍｍと長くなり、支持される双ループアンテナ部分も相対して大きくなるため、ベランダ設置や、梱包しての輸送時に対する十分な強度確保はできない。
【００１１】
本発明は上記課題を解決するもので、小型で設置作業が簡易な全テレビ放送用ＵＨＦ帯アンテナ装置を提供することを目的としている。
【課題を解決するための手段】
【００１２】
上記目的を達成するために本発明の双ループアンテナ装置は、対称に配置した環状部を平行線で接続した形状の金属からなる双ループアンテナ部と、平行線の中央にて信号線とアース線を電気的に接続させた給電部と、信号線とアース線を具えた同軸ケーブルと、給電部を防滴するためのカバーと、電波の到来を反射する反射器と、双ループアンテナ部と反射器との間に空間を設けるためのアンテナ支持部と、強固に固定されたマストポールを含む相手構造物に取付けるための取付部と、取付部と対をなし相手構造物を挟持しボルトにて締め付ける取付押え部を具え、アンテナ支持部と反射器とが互いに干渉しないように各々取付部と固定し、アンテナ支持部と取付部の固定を緩和させた時にはアンテナ支持部が取付部の内部に収納可能とした構成を有している。
【００１３】
このような構成を取ることで、屋根上に設置する必要はなくベランダなどにも簡易に設置が可能で、輸送時には小型化し、かつ十分な強度を有しているため意匠性を高めることが可能な全テレビ放送用ＵＨＦ帯アンテナ装置が得られる。
【発明の効果】
【００１４】
本発明により、意匠性の高い小型で設置作業が容易な全テレビ放送用ＵＨＦ帯双ループアンテナ装置を提供することが可能である。
【００１５】
更に不使用時には折畳み、保管や輸送性を向上させ、使用時や輸送時に十分必要な強度を確保することが可能となる。
【発明を実施するための最良の形態】
【００１６】
以下、本発明の双ループアンテナ装置の実施の形態について、図を用いて説明する。
【００１７】
（実施の形態１）
図１は本発明の実施の形態１における双ループアンテナ装置の斜視図である。金属製ループアンテナ１０１ａとループアンテナ１０１ｂを上下対称に配置し、ループアンテナ平行部１２７ａとループアンテナ平行部１２７ｂの端面を向い合せ、接続端子１０４ａと１０４ｂを用いて接続して双ループアンテナ部を形成し、ループアンテナ平行部１２７ａと１２７ｂを防滴カバー底１０３に成形されたループアンテナ位置決めリブ１０６にて位置決めし、信号線接続端子１０８とアース線接続端子１０９をそれぞれ接続端子１０４ａと接続端子１０４ｂを防滴カバー底１０３に形成されている接続端子ビス止めボス１０５ａと１０５ｂにアンテナ止めビス１２８にて共締めし、信号線接続端子１０８とアース接続端子１０９とが接続されている同軸ケーブル１１０を同軸ケーブル貫通穴１２９とアンテナ支持化粧ケース１１１の同軸ケーブル貫通孔１３２と反射器１１３のアンテナ支持部貫通孔１２５、アンテナ支持部１１２を貫通させ、アンテナ支持化粧ケース１１１を防滴カバー底１０３とアンテナ支持部１１２とで挟持させ、防滴カバー止めビス１３０をアンテナ支持部１１２の防滴カバー取付孔１２６に締付け、反射器１１３と取付部１１４を固定するために反射器止めビス１３１を反射器取付貫通孔１１６を通して反射器取付孔１１７に締付け、アンテナ支持部１１２と取付部１１４を固定するために支持部止めボルト１２８とアンテナ支持部取付ビス１３３をアンテナ支持部取付貫通孔１１９と１２０アンテナ支持部取付貫通長孔を通してアンテナ支持部取付孔１１８に締付け、ループアンテナ１０１とループアンテナ押えリブ１０７で押え、防滴カバー底１０３に防滴カバー蓋１０２を嵌合させることにより構成される。
【００１８】
図２（ａ）、（ｂ）はアンテナ支持ケース１１１とアンテナ支持部１１２と反射器１１３と取付部１１４を取付けた状態を示す平面図であり、反射器１１３は断面図としてある。アンテナ支持ケース１１１はアンテナ支持部１１２に取り付けられており、反射器１１３とは接触していない。またアンテナ支持部１１２も反射器１１３とは接触せずに取付部１１４にアンテナ支持部取付ボルト１２８とアンテナ支持ビス１３３にて締付け固定されている。反射器１１３は反射器取付ビス１３１にて取付部１１４に締付け固定されている。図２（ａ）は本発明の実施形態１における双ループアンテナ装置の使用時の平面図であり、図２（ｂ）は本発明の実施形態１におけるアンテナ支持部を収納した状態の双ループアンテン装置の平面図であり、アンテナ支持部取付ビス１３３を外しアンテナ支持部取付ボルト１２８の締付けを緩和させアンテナ支持部１１２を滑動させた状態を示す。図２（ｂ）の状態であれば最大寸法が小型化され、ループアンテナ１０１が反射器１１３に保護された状態になるため、保管や輸送に適した状態となる。
【００１９】
図１においてループアンテナ１０１ａ及びループアンテナ１０１ｂは導電体で対称に配置しループアンテナ平行部１２７ａと１２７ｂを接続することにより双ループアンテナ部として構成される。ループ部の直径は約１８０ｍｍで平行部は接続された状態で約８０ｍｍである。導電体としては、例えばステンレス鋼やアルミニウム、鉄等が使用でき、特にステンレス鋼は防錆や剛性の点から好ましい。また環状形状部分は図１に示す円形だけでなく三角形、四角形等多角形にすることも可能であり、意匠に合わせて選択することが可能である。尚、アンテナ利得を最も高く得る形状は円形である。また、素材と形成については、棒材を曲げ加工、板材を曲げ加工、板材を打ち抜き加工などの加工方法があり、特に丸棒の曲げ加工による形成はバリなどの発生がない点や加工性の点から好ましい。
【００２０】
反射器１１３は導電体で構成される。導電体としては、例えばステンレス鋼やアルミニウム、鉄等が使用でき、特にアルミニウムは防錆や軽量性の点から好ましい。また反射器１１３の形状については１枚板や複数枚の板、または複数の棒状の素材で構成してもよく、１枚板は取扱作業性や印刷等意匠性の自由度の点からも好ましく、複数枚の板に分割した場合は軽量化の点で好ましく棒状の場合は軽量化や耐風性の点から好ましい。なおこれらの構成を組み合わせることには何ら問題なく、意匠に合わせて選択することが可能である。
【００２１】
ループアンテナ１０１ａ及び１０１ｂと、反射器１１３との距離は０．１５λ確保する。つまりλをテレビ放送用ＵＨＦ帯において最も波長の長い周波数４１０ＭＨｚに合わせ、約１１０ｍｍに設定すればよい。
【００２２】
以上のように構成された双ループアンテナ装置について、その動作を説明する。まず、電波の到来方向へ向けられた双ループアンテナ部でＵＨＦ帯の電波を受信し、同軸ケーブル１１０を通じて信号を伝送する。反射器１１３は周辺障害物等による本来の方向とは異なる方向からの遅延した反射波を遮蔽しアンテナ特性のひとつである前後比を向上させる作用を有する。
【００２３】
以上のように本実施の形態１によれば、小型でベランダ等にも設置が可能であり、輸送時には小型化し、十分な強度を有し意匠性の高い全テレビ放送用ＵＨＦ帯アンテナ装置としての双ループアンテナ装置を提供することができる。
【産業上の利用可能性】
【００２４】
本発明にかかる双ループアンテナ装置は、意匠性の高い小型で設置作業が容易な全テレビ放送用ＵＨＦ帯双ループアンテナ装置を提供することが可能である。更に不使用時には折畳み、保管や輸送性を向上させ、使用時や輸送時に十分必要な強度を確保することが可能となる。そのため、本発明は、ＵＨＦ帯電波を用いたテレビ放送受信を目的としたアンテナ装置において有用である。
【図面の簡単な説明】
【００２５】
【図１】本発明の実施の形態１における双ループアンテナ装置の斜視図
【図２】本発明の実施の形態１における双ループアンテナ装置の平面図
【符号の説明】
【００２６】
１０１    ループアンテナ
１０２    防滴カバー蓋
１０３    防滴カバー底
１０４    接続端子
１０５    接続端子ビス止めボス
１０６    ループアンテナ位置決めリブ
１０７    ループアンテナ押えリブ
１０８    信号線接続端子
１０９    アース線接続端子
１１０    同軸ケーブル
１１１    アンテナ支持ケース
１１２    アンテナ支持部
１１３    反射器
１１４    取付部
１１５    防滴カバー底取付貫通孔
１１６    反射器取付ビス貫通孔
１１７    反射器取付孔
１１８    アンテナ支持部取付孔
１１９    アンテナ支持部取付長孔
１２０    アンテナ支持部取付貫通孔
１２１    マストポール取付ボルト孔
１２２    マストボール取付押え部
１２３    マストポール取付ボルト
１２４    マストポール
１２５    アンテナ支持部貫通孔
１２６    防滴カバー取付孔
１２７    ループアンテナ平行部
１２８    アンテナ支持部取付ボルト
１２９    同軸ケーブル貫通孔
１３０    防滴カバー止めビス
１３１    反射器取付ビス
１３２    同軸ケーブル貫通孔２
１３３    アンテナ支持部取付ビス
１３４    アンテナ支持ケース取付貫通孔
【図１】
2005086326.tif 000003
【図２】
2005086326.tif 000004